(57)【要約】【課題】従来の安全プロテクターの欠点であるフックに合わせて各種の安全プロテクターの設計から金型までを考えなければ出来ず、長さなど合成樹脂の強度などから、長さ１５０ｍｍまでが限度であり、それ以上は問題があり、又金型代も高価になるため、この欠点をなくすため安全プロテクターを３分割した画期的な方法を提供するものである。【解決手段】従来の安全プロテクターを兼用駒、中間軸、安全プロテクターに３分割し、兼用駒は市販のフックの線径に合わせて兼用駒を設け、中間軸の線径は同一にし、押出機で製作し、フックの長さに対応して切断するか、又は射出成形機で製作する、その中間軸の先端部に新型の安全フックを取付けるように設けた。安全プロテクターは中間軸の線径が同一のため全てのフック４φ〜１５φに対応できること等を特徴とするバー用シングルフック全対応型安全プロテクターである。【選択図】図１
2008272405.tif 000002
【特許請求の範囲】
【請求項１】
商品陳列用の商品掛け具のフックの先端部を保護し、転倒、よろめき等の事故から子供、高齢者のケガ又は失明の事故を防止する安全プロテクターであり、安全プロテクター本体（１）は、１〜４種類の各種形状棒に対応できる兼用駒（２）、中間部の各種形状の中間軸（３）、先端部を合成樹脂製の安全プロテクター（４）で構成されているバー用シングルフック全対応型安全プロテクター。
【請求項２】
安全プロテクター本体（１）の兼用駒（２）は合成樹脂製で１〜４種類の各種形状の棒に対応でき、フックの線径により兼用駒の取り付け位置の設定をする請求項１記載のバー用シングルフック全対応型安全プロテクター。
【請求項３】
安全プロテクター本体（１）の中間棒（３）は合成樹脂製で押出機による押出で製作し、線径は全て同径でフックの長さにより切断して使用する、あるいは射出成形機で製作も可能な請求項１〜２記載のバー用シングルフック全対応型安全プロテクター。
【請求項４】
安全プロテクター本体（１）の先端部に取付ける安全プロテクターは合成樹脂製で射出成形機で成形され、同一の形状、サイズの請求項１〜３記載のバー用シングルフック全対応型安全プロテクター。
【請求項５】
兼用駒（２）の形状は、三角形、四角形、長方形等の各種形状であり、１〜４種類フックに差し込む穴径を設け、その穴径の上部上側１〜４箇所に中間軸が挿入できる同一径の穴を設けた請求項１〜４記載のバー用シングルフック全対応型安全プロテクター。
【請求項６】
バー用シングルフック安全プロテクタ−本体を、兼用駒、中間軸、安全プロテクターの３分割の独立した構造にした請求項１〜５記載のバー用シングルフック全対応型安全プロテクター。
【発明の詳細な説明】
【技術分野】
【０００１】  本発明は、デパート、スーパー、ホームセンター、コンビニ等で使用されている商品陳列用の商品掛け具のフックの先端部を危険から目を守る安全器具に関する。
【背景技術】
【０００２】  従来の商品掛け具用フックは各サイズ別々の一体型で構成され、店頭利用されており、そのフックの先端部が斜めに約３０度上向いており、デパート、スーパー、ホームセンター、コンビニ等において、買物中は勿論、特に子供達、高齢者等の転倒又はよろめきにより、目の負傷や失明の事故等があるが、殆どは安全への対策はされてない。近年一部業者はこの目等の危険事故に対してなんらかの方法で対策をし、フックの先端部を保護するものもいくつか開発され、取付けられている。
次のような特許文献がある。
【特許文献１】特公平０７−０９３９０４
【特許文献２】特開２００４−１８０９１８
【発明の開示】
【発明が解決しようとする課題】
【０００３】  以上に述べたように、フックは４φ〜１５φと数種類あり、長さも５０ｍｍ〜４００ｍｍ位と各種サイズがある。安全プロテクターで全てのフックの対応は難しいため、現時点ではシングルフックの先端部を保護するのは、長さが１５０ｍｍ以上の合成樹脂製では金型代が高価で、又は材質において、強度上無理であり、長さが１５０ｍｍ以上は品揃保留の状態である。【０００４】  以上のように、長さが１５０ｍｍ以上のフックに対応できる安全プロテクターも望まれているのが現状である。又、フックの線径も各種線径に対応できる安全プロテクターは現在は６φのみである。これらの、４φ、５φ、６φ、８φ、１０φ、１２φ、１５φと全てのフックに対応するには、莫大な資金が掛かり開発は無理。【０００５】  本発明は、従来の構成が有しているいろいろの問題点を解決しようとするものであり、２〜３種類の兼用駒を利用し、いかに金型を安価に製作し、どんな各種線径にも、どんな長さのフックにも対応可能な安全プロテクターを実現することが目的で有る。
【課題を解決するための手段】
【０００６】  従来は、デパート、スーパー等での商品陳列用フックは、各サイズの径と長さが多種多様あり、全てに対応するのは難しかったため。標準最多経の６φと長さが１００ｍｍ及び１５０ｍｍの２種類の限定で推移している状態である。しかし今回発明したフックに取付ける安全プロテクターは一体型ではなく、フックの先端部を保護する安全プロテクターを従来の取り付け方法と異なった形状と取り付け方法にし、本体を３〜４種類の線径に対応する兼用駒、中間部の長さに対応できる５φ、あるいは６φ位を含む各種形状の中間軸、先端部の目を守る安全プロテクター部の構成になっている。
駒は４φ、５φ、６φ、８φの３〜４種類の線径のフックと、１０φ、１２φ、１５φに取り付け可能な各種形状の２〜３個の駒にし、駒に差し込む中間軸の線径は５φ又は６φが入る穴をフックの線径が挿入される兼用駒の上部、上側に各々設け、中間部の中間軸は、各フックの長さにより規定の長さを自由に選定し、設定した駒に挿入する、一方中間軸の先端部に安全プロテターを取付けてフック先端部を安全プロテクターで保護する。
フックの線型に兼用駒を２〜３個そろえるのみで、５φあるいは６φの中間軸部は長さを自由に選定することで対応でき、安全プロテクターは一種類で対応可能にした。
フックの線経が変わっても、駒をそのフックの線経に合わせ、且つ、長さについては中間軸５φ〜６φを含む各種形状のシャフト、２〜３個の兼用駒で全てのフックに対応でき、長さも自由に変更可能な構成である。
【発明の効果】
【０００８】  従来の、陳列用の商品掛け具のシングルフックにおいては、その棒状の線径又は長さにより安全プロテクターは左右され製作しなければない。又棒状の長さにより各種の線径を製作するため、従来の方法では金型代が高く、金型代の償却が容易ではないと同時にフックの棒状の長さが１５０ｍｍ以上では、材料の合成樹脂の強度不足でも問題があった。これらを解決するために、安全プロテクター本体を３分割し、兼用駒、中間軸、先端の安全プロテクターと、駒方式にすることで、その専用駒１個で３〜４種類の線径のフックに対応できる。これにより、フックの棒状の線径毎に安全プロテクターを製作しなくて良い。駒に取り付ける中間部の中間軸は線径を同一にし、押し出し成形で、長さの切断のみで可能であり又、射出成形機でも対応出来る等各種対応可能である。先端部に取付ける安全プロテクターは一種類で全て対応でき、金型代が極端に安価で、穴径の違う２〜３個の兼用駒を製作することで、全てのフックに対応可能な画期的な安全プロテクターである。
【発明を解決する最良の構成】
【０００７】  従来の安全プロテクターは一体型で射出成形機により成形されたが金型代、樹脂の強度不足、フックの長もの、１５０ｍｍ以上は不可能という欠点があった。この状態を解決するために、安全プロテクター本体（１）を兼用駒（２）、中間軸（３）、安全プロテクター（４）の３分割の構成にした。兼用駒は（２）は三角、四角、長方形などの各種形状にし、その各辺に４φ、５φ、６φ又は８φと穴経を設け、フックの線経に会わせて兼用駒を回転しフックに差し込むように設けた、中間軸（３）は各種形状で、例えば５φあるいは６φに設定し、フックの長さにより、５０ｍｍ〜５００ｍｍ位前後まで可能であり、押出成形機により連続成形した中間軸をフックの長さに応じて切断して使用する、又射出成形機でも可能である。安全プロテクター（４）は中間軸に挿入するため一定ある。この３分割方式では、兼用駒は２〜３個を製作すれば、４φ、５φ、６φ、８φ、１０φ、１２φ、１５φ等殆ど全てのフック、長さに対応出来、金型代等の生産コストが画期的に削減でき、既存のフック取付店に安価に提供でき、子供達、高齢者の転倒、よろめきによるケガや万一の失明等の事故が防げる。
【図面の簡単な説明】
【０００８】
【図１】本発明の実施の正面図。
【図２】本発明の平面図。
【図３】本発明の右側面図。
【図４】本発明の兼用駒の正面図。
【図５】本発明の兼用駒の右側面図。
【図６】本発明の中間軸の各種形状の一例。
【図７】本発明の安全プロテクターの正面図。
【図８】本発明の安全プロテクターの平面図。
【図９】本発明の安全プロテクターの右側面図。
【図１０】本発明の兼用駒の他の形状一例。
【図１１】本発明の兼用駒の他の形状の一例。
【符号の説明】
【０００９】    １  安全プロテクター本体
２  兼用駒
３  中間軸
４  安全プロテクター
５  ＰＣホルダー
６  フック
【図１】
2008272405.tif 000003
【図２】
2008272405.tif 000004
【図３】
2008272405.tif 000005
【図４】
2008272405.tif 000006
【図５】
2008272405.tif 000007
【図６】
2008272405.tif 000008
【図７】
2008272405.tif 000009
【図８】
2008272405.tif 000010
【図９】
2008272405.tif 000011
【図１０】
2008272405.tif 000012
【図１１】
2008272405.tif 000013